(57)【特許請求の範囲】
【請求項１】
複数の筒部材が入れ子式に摺動して伸縮可能に構成された支持装置であって、
前記複数の筒部材のうちの少なくとも最も内側に挿入された筒部材を除く筒部材の端部にはカバー部材がそれぞれ設けられており、
前記カバー部材は、
当該カバー部材が設けられた前記筒部材の端部外周面に嵌まり込んだリング状の外嵌部と、
前記外嵌部に連続して一体的に形成され、当該筒部材の内周面よりも内側に突出する係止部とを有し、
前記外嵌部に設けられたねじ穴にねじ込まれ、当該筒部材に設けられた穴に嵌入するねじピンによって、当該筒部材と軸方向に係合して当該カバー部材の当該筒部材からの抜け止めがなされ、かつ前記ねじピンを取り外すことによって当該カバー部材を当該筒部材から取り外すことができるようになっており、
当該カバー部材が設けられた当該筒部材の直ぐ内側に挿入された筒部材の外周面には、当該カバー部材の係止部に軸方向に当接して抜け止めを図るための係止部材が設けられており、
前記係止部には、当該係止部に設けられたねじ穴にねじ込まれ、当該係止部よりも内側に突出して当該カバー部材が設けられた当該筒部材の直ぐ内側に挿入された筒部材の外周面と摺接するとともに、ねじ込み位置を調整することによってその摺接状態を調整することの可能な摺動ねじ部材が設けられている、
ことを特徴とする伸縮可能な支持装置。
【請求項２】
前記複数の筒部材のそれぞれは断面が四角形であり、
前記ねじピンは、各面においてその両側に２つずつ設けられ、
前記係止部材は、各面においてその中央部に１つずつ設けられている、
請求項１記載の伸縮可能な支持装置。
【請求項３】
前記カバー部材が設けられた前記筒部材の直ぐ内側に挿入された筒部材の外周面の奥側には、当該カバー部材が設けられた筒部材の内周面と摺接する摺動部材が、各面において一方の端部側に片寄った位置であって当該カバー部材が設けられた筒部材に設けられた係止部材と干渉しない位置に設けられている、
請求項２記載の伸縮可能な支持装置。
【発明の詳細な説明】
【０００１】
【発明の属する技術分野】
本発明は、複数の筒部材が入れ子式に摺動して伸縮可能に構成された支持装置に関し、例えばスタジオにおいて照明器具などを天井から吊り下げるために利用される。
【０００２】
【従来の技術】
従来より、スタジオにおいて照明器具などを天井から吊り下げるためにワイヤが用いられている。
【０００３】
つまり、天井近くに設けたビームに多数のウインチおよび滑車を設置し、ワイヤの先端に取り付けた照明器具を、滑車を介し、ウインチによって巻き上げたり降ろしたりする。
【０００４】
【発明が解決しようとする課題】
しかし、ワイヤのみで吊り下げた場合には、吊り下げた照明器具が左右に揺れることがあり、揺れた場合にはそれがなかなか止まらないという問題がある。
【０００５】
そこで、複数の筒部材を入れ子式に摺動させたテレスコープ式の支持装置を用いることが考えられる。テレスコープ式の支持装置では、複数の筒部材が摺動するので、摺動部材が摩耗した場合に騒音が発生したり円滑に摺動しなくなる可能性がある。
【０００６】
したがって、摺動部分の定期的な点検や摩耗時の交換などのメンテナンスが容易であることが望まれる。特に、吊り下げたままの状態で、筒部材をその外側の筒部材から抜き出すことが可能なことが望ましい。
【０００７】
本発明は、上述の問題に鑑みてなされたもので、吊り下げたままの状態で筒部材をその外側の筒部材から抜き出すことを可能としたメンテナンスが容易な伸縮可能な支持装置を提供することを目的とする。
【０００８】
本発明に係る装置は、複数の筒部材が入れ子式に摺動して伸縮可能に構成された支持装置であって、前記複数の筒部材のうちの少なくとも最も内側に挿入された筒部材を除く筒部材の端部にはカバー部材がそれぞれ設けられており、前記カバー部材は、当該カバー部材が設けられた前記筒部材の端部外周面に嵌まり込んだリング状の外嵌部と、前記外嵌部に連続して一体的に形成され、当該筒部材の内周面よりも内側に突出する係止部とを有し、前記外嵌部に設けられたねじ穴にねじ込まれ、当該筒部材に設けられた穴に嵌入するねじピンによって、当該筒部材と軸方向に係合して当該カバー部材の当該筒部材からの抜け止めがなされ、かつ前記ねじピンを取り外すことによって当該カバー部材を当該筒部材から取り外すことができるようになっており、当該カバー部材が設けられた当該筒部材の直ぐ内側に挿入された筒部材の外周面には、当該カバー部材の係止部に軸方向に当接して抜け止めを図るための係止部材が設けられており、前記係止部には、当該係止部に設けられたねじ穴にねじ込まれ、当該係止部よりも内側に突出して当該カバー部材が設けられた当該筒部材の直ぐ内側に挿入された筒部材の外周面と摺接するとともに、ねじ込み位置を調整することによってその摺接状態を調整することの可能な摺動ねじ部材が設けられている。
【００１０】
さらに好ましくは、前記複数の筒部材のそれぞれは断面が四角形であり、前記ねじピンは、各面においてその両側に２つずつ設けられ、前記係止部材は、各面においてその中央部に１つずつ設けられている。
【００１１】
さらに好ましくは、前記カバー部材が設けられた前記筒部材の直ぐ内側に挿入された筒部材の外周面の奥側には、当該カバー部材が設けられた筒部材の内周面と摺接する摺動部材が、各面において一方の端部側に片寄った位置であって当該カバー部材が設けられた筒部材に設けられた係止部材と干渉しない位置に設けられている。
【００１２】
【発明の実施の形態】
図１は本発明に係る支持装置１の収縮時における正面図、図２は支持装置１の下端部を拡大して示す断面図、図３は筒部材１１ａ〜１１ｆの係止部材の近辺を拡大して示す断面図、図４は筒部材１１ａ〜１１ｆの摺動部材の近辺を拡大して示す断面図、図５は係止部材３１ｂ〜３１ｆおよび摺動部材４１ｂ〜４１ｆの位置関係を示す図である。
【００１３】
図１において、支持装置１は、最も外側から内側まで順に入れ子式に挿入された６つの筒部材１１ａ〜１１ｆ、それぞれの筒部材１１ａ〜１１ｆの下端部に設けられたカバー部材１２ａ〜１２ｆ、最も外側の筒部材１１ａを除く筒部材１１ｂ〜１１ｆの各外面の上端部の近辺に設けられた係止部材３１ｂ〜３１ｆおよび摺動部材４１ｂ〜４１ｆなどからなる。
【００１４】
つまり、支持装置１は、６つの筒部材１１ａ〜１１ｆからなる６段のテレスコープ式のものである。いずれかの段または全ての段について言うときには、ａ，ｂ，ｃなどの符号を省略することがある。
【００１５】
各筒部材１１ａ〜１１ｅとそれぞれの直ぐ内側に挿入された筒部材１１ｂ〜１１ｆとの間の構造的および作用的な関係は、ごく一部を除いて互いに同一であるので、下端側の２つの筒部材１１ｅ、１１ｆおよびカバー部材１２ｅ、１２ｆについて代表的に説明し、これとの相違点について補足的に説明する。
【００１６】
筒部材１１ａ〜１１ｆは、アルミニウム合金などからなり、断面が正四角形に形成されている。
図２において、カバー部材１２ｅは、アルミニウム合金またはステンレス鋼などからなり、筒部材１１ｅの下端部の外周面に嵌まり込んだリング状の外嵌部１２１と、外嵌部１２１に連続して一体的に形成され、筒部材１１ｅの内周面よりも内側に突出する係止部１２２とを有する。
【００１７】
このカバー部材１２ｅは、外嵌部１２１に設けられたねじ穴１２３にねじ込まれ、筒部材１１ｅに設けられた穴１１１に嵌入するねじピン２１ｅによって、筒部材１１ｅと軸方向に係合して抜け止めがなされている。
【００１８】
また、筒部材１１ｅの下端面と係止部１２２との間には、筒部材１１ｆに取り付けられた係止部材３１ｆが当接したときの衝撃を弱めるために、合成樹脂または合成ゴムなどからなるクッション部材１２４が設けられている。
【００１９】
外嵌部１２１の上端部には周溝１２５が設けられている。周溝１２５には、当該筒部材１１ｅが収縮して（上方に移動して）その外嵌部１２１の上端面が直ぐ外側の筒部材１１ｄのカバー部材１２ｄに当接したときの衝撃を弱めるとともに、塵埃が入るのを防止するための、合成樹脂または合成ゴムからなるパッキン１２６が設けられている。
【００２０】
なお、ねじピン２１ｅは、ステンレス鋼などからなり、頭部２１１、ネジ部２１２、および円柱状のピン部２１３を有する。頭部２１１の中央には、レンチを挿入して回転させるための六角穴２１４が設けられている。
【００２１】
係止部１２２には、ねじ穴１２７が設けられている。ねじ穴１２７には、摺動性の良好な合成樹脂からなる摺動ねじ２２ｅがねじ込まれている。摺動ねじ２２ｅは、係止部１２２の内周面よりも内側に突出し、その内側に挿入された筒部材１１ｆの外周面と摺接する。摺動ねじ２２ｅには、その端面に、レンチを挿入して回転させるための六角穴２２１が設けられている。また、摺動ねじ２２ｅのねじ込み位置を調整した後に、その位置で固定するためのロックナット２２２が設けられている。
【００２２】
なお、摺動ねじ２２ｅの全体を合成樹脂から形成してもよいが、例えば、摺動ねじ２２ｅの本体部を銅合金などから形成し、その先端の摺動部分に合成樹脂からなるシューを嵌め込んで構成してもよい。
【００２３】
最も内側の筒部材１１ｆについては、その下端部に設けられたカバー部材１２ｆは、筒部材１１ｆの外周面に嵌まり込んだリング状のものである。カバー部材１２ｆは、筒部材１１ｆに設けられた穴を貫通し、カバー部材１２ｆに設けられたねじ穴にねじ込まれたボルト２１ｆによって固定されている。
【００２４】
１つのカバー部材１２ｅについて、ねじピン２１ｅおよび摺動ねじ２２ｅは、各面においてその両側に２つずつ、合計８つ設けられている。カバー部材１２ｆについて、ねじピン２１ｆも同様に、各面においてその両側に２つずつ、合計８つ設けられている。
【００２５】
図３において、筒部材１１ｆには、その外側のカバー部材１２ｅの係止部１２２（クッション部材１２４）に軸方向に当接して抜け止めを図るための係止部材３１ｆが取り付けられている。係止部材３１ｆは、ステンレス鋼などからなる直方体の板状の本体３１１に、ねじ穴３１３を有した２つのボス３１２が設けられている。ボス３１２が、筒部材１１ｆに設けられた穴１１２に嵌まり込み、内側からねじ込まれたねじ３１４によって固定されている。
【００２６】
図１によく示されるように、係止部材３１ｂ〜３１ｆは、長さは同じであるが、幅は互いに異なる。すなわち、係止部材３１ｂ〜３１ｄは互いに同じ幅であるが、係止部材３１ｅはそれらよりも幅が狭く、係止部材３１ｆはそれよりもさらに狭い。
【００２７】
図５によく示されるように、係止部材３１ｂ〜３１ｆは、各筒部材１１ｂ〜１１ｆに対して、それぞれの４つの外面の中央部にそれぞれ１つずつ、合計４つずつ設けられている。
【００２８】
図４において、筒部材１１ｆには、摺動部材４１ｆが取り付けられている。摺動部材４１ｆは、摺動性のよい合成樹脂などからなり、径大の円板状部４１１に径小のボス部４１２が一体に設けられている。ボス部４１２が、筒部材１１ｆに設けられた穴１１３に嵌まり込み、その外側の筒部材１１ｅの内周面との間で挟まれることによって取り付けられている。
【００２９】
図１および図５によく示されるように、摺動部材４１ｂ〜４１ｆは、同じ大きさであるが、その取り付け位置が若干異なる。すなわち、摺動部材４１ｂは筒部材１１ｂの各面の幅方向の中央に１つずつ設けられ、他の各摺動部材４１ｃ〜４１ｆは、各筒部材１１ｃ〜１１ｆの各面の幅方向の端部側に片寄った位置に１つずつ設けられている。
【００３０】
摺動部材４１ｃ〜４１ｆが各筒部材１１ｃ〜１１ｆの各面において一方の端部側に片寄って設けられている理由は、外側の筒部材１１ｂ〜１１ｅに設けられた係止部材３１ｂ〜３１ｅのねじ３１４の頭部と干渉しないようにするためである。したがって、ねじ３１４の頭部が筒部材１１ｂ〜１１ｅの内周面よりも凹んでいるなどの理由で干渉しないことが明らかな場合は、各摺動部材４１ｃ〜４１ｆを筒部材１１ｃ〜１１ｆの各面の幅方向の中央に設けてもよい。
【００３１】
最も外側の筒部材１１ａには、係止部材も摺動部材も設けられていない。その代わり、天井のビームなどに取り付けるための８つの穴１１４が設けられている。
【００３２】
次に、上のように構成された支持装置１の動作および作用について説明する。
支持装置１は、最も内側の筒部材１１ｆおよびカバー部材１２ｆが下になるような鉛直状態で、最も外側の筒部材１１ａに設けられた穴１１４を利用して、天井のビームなどにボルトで固定される。
【００３３】
天井のビームなどに設けられたウインチのワイヤを、筒部材１１ａの直上に設けられた滑車を介して筒部材１１ａ〜１１ｆの中を通し、ワイヤの先端を、最も内側の筒部材１１ｆのカバー部材１２ｆまたはそれに取り付けられた図示しない金具に固定する。
【００３４】
最も内側のカバー部材１２ｆまたはそれに取り付けられた金具には、照明器具などを取り付ける。照明器具以外に、カメラ、マイクロフォン、スピーカ、モニタ、各種計測装置、乗物籠などを取り付けることが可能である。
【００３５】
ウインチによってワイヤを巻き戻すと、筒部材１１ｂ〜１１ｆはその自重によって下降する。これによって、照明器具が下降する。但し、各筒部材１１ｂ〜１１ｆは、係止部材３１ｂ〜３１ｆがカバー部材１２ａ〜１２ｅの係止部１２２（クッション部材１２４）に当接すると停止する。
【００３６】
これとは逆に、ウインチによってワイヤを巻き上げると、それに応じて筒部材１１ｂ〜１１ｆが上昇する。これによって、照明器具が上昇する。ワイヤを適当な位置で静止することによって、照明器具の高さ位置が決定される。このとき、支持装置１は剛性を有し、筒部材１１ａの根元が固定されているので、ほとんど揺れない。
【００３７】
筒部材１１ａ〜１１ｆが下降する際には、外側から順に下降する。筒部材１１ａ〜１１ｆが上昇する際には、内側から順に上昇する。その際に、筒部材１１ｂ〜１１ｆの表面は、それぞれの外側のカバー部材１２ａ〜１２ｅの摺動ねじ２２と摺接し、摺動部材４１ｂ〜４１ｆは、それぞれの外側の筒部材１１ａ〜１１ｅの内周面と摺接する。したがって、摺動時の音が小さく静かである。
【００３８】
摺動部材４１ｂ〜４１ｆが、筒部材１１ｂ〜１１ｆの各面に１ヵ所のみ設けられているので、筒部材１１ａ〜１１ｆが歪んだ場合であってもこじれることなく、摺動が円滑である。摺動部材４１ｂ〜４１ｆは、ボス部４１２が穴１１３に嵌まり込むことによって取り付けられているので、着脱が容易である。したがって、摩耗の際の交換が容易である。
【００３９】
摺動ねじ２２ｅを回転させて調整することによって、筒部材１１ｂ〜１１ｆの表面との摺接状態を容易に調整することができる。
筒部材１１ｂ〜１１ｆの下降の際に、それぞれの最大ストローク位置において係止部材３１ｂ〜３１ｆがカバー部材１２ａ〜１２ｅの係止部１２２に当接して停止するので、安全である。また、クッション部材１２４が設けられているので、衝撃が少なく、一層安全である。
【００４０】
カバー部材１２ａ〜１２ｅは、筒部材１１ａ〜１１ｅの外周面に嵌まり込み、ねじピン２１ｅによって軸方向に係合しているので、取り付けが確実で安全である。しかも、ねじピン２１ｅを取り外すことによって、カバー部材１２ａ〜１２ｅを筒部材１１ａ〜１１ｅから容易に取り外すことができる。また取り付けも簡単である。
【００４１】
したがって、支持装置１の全体を取り外すことなく、支持装置１を吊り下げたままの状態で、必要な箇所のカバー部材１２ａ〜１２ｅを取り外して必要な筒部材１１ｂ〜１１ｆを抜き出して分解することができる。これによって、摺動部材４１ｂ〜４１ｆの交換、摺動部分へのグリースの注入、内部の点検および清掃などを容易に行うことができ、メンテナンスが容易である。
【００４２】
また、支持装置１の各部の構造が単純であり、全体をコンパクトに構成することができる。
上の実施形態では、６段の支持装置１について説明したが、５段以下または７段以上の支持装置としてもよい。筒部材１１ａ〜１１ｆを四角形としたが、三角形、五角形、六角形、八角形など、種々の断面形状とすることができる。
【００４３】
筒部材１１ａ〜１１ｆを軽量化するためにアルミニウム合金を用いたが、段数、寸法、用途などに応じて、鋼鉄、ステンレス合金、他の金属、または合成樹脂などを用いることが可能である。
【００４４】
支持装置１は、スタジオで利用する他、ホール、体育館、その他の種々の施設、井戸の中、ダムの中、穴の中など、種々の環境で利用することができる。支持装置１を鉛直姿勢で用いる他、斜め姿勢で用いることも可能である。
【００４５】
その他、支持装置１の全体または各部の構造、形状、寸法、材質、個数などは、本発明の趣旨に沿って適宜変更することができる。
【００４６】
【発明の効果】
本発明によると、吊り下げたままの状態で筒部材をその外側の筒部材から抜き出すことが可能であり、メンテナンスが容易である。
【００４７】
請求項２の発明によると、筒部材の表面との摺接状態を容易に調整することができる。
【図面の簡単な説明】
【図１】本発明に係る支持装置の収縮時における正面図である。
【図２】支持装置の下端部を拡大して示す断面図である。
【図３】筒部材の係止部材の近辺を拡大して示す断面図である。
【図４】筒部材の摺動部材の近辺を拡大して示す断面図である。
【図５】係止部材および摺動部材の位置関係を示す図である。
【符号の説明】
１  支持装置
１１ａ〜１１ｆ  筒部材
１２ａ〜１２ｆ  カバー部材
２１  ねじピン
２２  摺動ねじ（摺動ねじ部材）
３１ｂ〜３１ｆ  係止部材
４１ｃ〜４１ｆ  摺動部材
１１１  穴
１２１  外嵌部
１２２  係止部
１２３  ねじ穴
１２４  クッション部材（係止部）
１２７  ねじ穴
【図１】
0004588187.tif 000002
【図２】
0004588187.tif 000003
【図３】
0004588187.tif 000004
【図４】
0004588187.tif 000005
【図５】
0004588187.tif 000006